(57)【要約】【課題】例えば、水が抜けきらない状態の止水板の下を通る通行人等に雨水がかかりにくい止水板付きシャッター装置を提供する。【解決手段】止水板付きシャッター装置は、シャッターカーテンと、シャッターカーテンに結合されると共に、内部に中空部が設けられ左右両端部に中空部に連通して中空部に溜まった水を排出可能な排水孔７０が設けられた止水板６０と、止水板６０の左右両端部が挿入され止水板６０を上下移動に沿って案内可能な凹部を有するガイドレール２０と、を備えている。【選択図】図２
2019214843.tif 000002
【特許請求の範囲】
【請求項１】
シャッターカーテンと、
前記シャッターカーテンに結合されると共に、内部に中空部が設けられ左右両端部に前記中空部に連通して当該中空部に溜まった水を排出可能な第１貫通孔が設けられた止水板と、
前記止水板の左右両端部が挿入され前記止水板を上下移動に沿って案内可能な凹部を有するガイドレールと、
を備えた止水板付きシャッター装置。
【請求項２】
前記止水板は、屋外側に位置して左右方向に延びる第１壁と、当該第１壁における左右方向の端縁から前記止水板の厚さ方向に沿って屋内側に向けて延びる第２壁と、これらの第１壁および第２壁の下側に位置する第３壁と、を有し、
前記第１貫通孔は、前記第１壁の左右両端部と、前記第２壁と、前記第３壁の左右両端部との少なくともいずれかに設けられた、
請求項１に記載の止水板付きシャッター装置。
【請求項３】
前記止水板は、前記中空部が第４壁で仕切られることによって上下方向に沿って並ぶ複数の分割体を有し、
前記分割体のそれぞれは、前記第４壁と、屋外側に位置して左右方向に延びる第５壁と、当該第５壁における左右方向の端縁から前記分割体の厚さ方向に沿って屋内側に向けて延びる第６壁と、を有し、
前記第１貫通孔は、前記分割体のそれぞれにおいて、前記第４壁の左右両端部と、前記第５壁の左右両端部と、前記第６壁との少なくともいずれかに設けられた、
請求項１に記載の止水板付きシャッター装置。
【請求項４】
前記止水板には、前記中空部と連通し当該中空部に空気が導入可能な第２貫通孔が設けられた、
請求項１から３のいずれか１項に記載の止水板付きシャッター装置。
【請求項５】
前記第２貫通孔は、前記止水板の上壁に設けられた、
請求項４に記載の止水板付きシャッター装置。
【発明の詳細な説明】
【技術分野】
【０００１】
本発明は、止水板付きシャッター装置に関する。
【背景技術】
【０００２】
従来、止水板が設けられた止水板付きシャッターが公知である。例えば、特許文献１には、スラット扉体の下部に止水板が設けられた止水板付きシャッターが開示されている。この止水板には、冠水時に止水板の内部に浸入した水を排出する排水孔が設けられている。
【先行技術文献】
【特許文献】
【０００３】
【特許文献１】特開２０１３−１５９９１１号公報
【発明の概要】
【発明が解決しようとする課題】
【０００４】
しかしながら、排出孔が止水板の左右方向の中央部に設けられている場合、止水板に溜まった水が抜けきらないままスラット扉体と共に止水板が上昇すると、止水板の下を通る通行人等に水がかかるおそれがある。
【０００５】
本発明は、前記の事情に鑑みてなされたものであって、水が抜けきらない状態の止水板の下を通る通行人等に水がかかりにくい止水板付きシャッター装置を提供することを目的とする。
【課題を解決するための手段】
【０００６】
本発明の止水板付きシャッター装置は、シャッターカーテンと、前記シャッターカーテンに結合されると共に、内部に中空部が設けられ左右両端部に前記中空部に連通して当該中空部に溜まった水を排出可能な第１貫通孔が設けられた止水板と、前記止水板の左右両端部が挿入され前記止水板を上下移動に沿って案内可能な凹部を有するガイドレールと、を備えている。
【０００７】
前記止水板付きシャッター装置では、止水板の左右両端部には第１貫通孔が設けられ、当該左右両端部がガイドレールの凹部に挿入されている。従って、止水板の内部の水は、第１貫通孔から排出されたのち、ガイドレールの凹部の内方を伝って下方に向けて流れる。このため、止水板付きシャッターの下を通る通行人等に水がかかりにくくなる。
【０００８】
前記止水板付きシャッター装置において、前記止水板は、屋外側に位置して左右方向に延びる第１壁と、当該第１壁における左右方向の端縁から前記止水板の厚さ方向に沿って屋内側に向けて延びる第２壁と、これらの第１壁および第２壁の下側に位置する第３壁と、を有し、前記第１貫通孔は、前記第１壁の左右両端部と、前記第２壁と、前記第３壁の左右両端部との少なくともいずれかに設けられていることが好ましい。
【０００９】
前記止水板付きシャッター装置では、第１貫通孔は、止水板における屋内側の部位には設けられていない。即ち、第１貫通孔は、屋内側に位置して前記第１壁に面する壁には設けられていない。このため、屋内側にいる通行人等に対して、より水がかかりにくくなるという効果を有する。
【００１０】
前記止水板付きシャッター装置において、前記止水板は、前記中空部が第４壁で仕切られることによって上下方向に沿って並ぶ複数の分割体を有し、前記分割体のそれぞれは、前記第４壁と、屋外側に位置して左右方向に延びる第５壁と、当該第５壁における左右方向の端縁から前記分割体の厚さ方向に沿って屋内側に向けて延びる第６壁と、を有し、前記第１貫通孔は、前記分割体のそれぞれにおいて、前記第４壁の左右両端部と、前記第５壁の左右両端部と、前記第６壁との少なくともいずれかに設けられていることが好ましい。
【００１１】
前記止水板付きシャッター装置では、前記止水板は、複数の分割体に区分けされ、分割体のそれぞれに第１貫通孔が設けられている。従って、複数の分割体に区分けされない場合に比べて、第１貫通孔からの水の排出効率が向上する。
【００１２】
前記止水板付きシャッター装置において、前記止水板には、前記中空部と連通し当該中空部に空気が導入可能な第２貫通孔が設けられていることが好ましい。
【００１３】
前記止水板付きシャッター装置では、前記止水板に第２貫通孔が設けられているため、前記第２貫通孔からの排水を、より速く効率的に行うことができる。
【００１４】
前記止水板付きシャッター装置において、前記第２貫通孔は、前記止水板の上壁に設けられていることが好ましい。
【００１５】
従って、止水板の上壁以外の他の部位に設けられている場合よりも、より上側に前記第２貫通孔を設けることができるため、前記中空部に効率的に空気を導入することにより、前記第２貫通孔からの排水をさらに速く効率的に行うことができる。
【発明の効果】
【００１６】
本発明に係る止水板付きシャッター装置は、水が抜けきらない状態の止水板の下を通る通行人等に雨水等の水がかかりにくいという効果を奏する。
【図面の簡単な説明】
【００１７】
【図１】図１は、第１実施形態による止水板付きシャッター装置を示す正面図である。
【図２】図２は、図１の止水板付きシャッター装置を示す斜視図であり、シャッターが開位置にある状態を示している。
【図３】図３は、図２のIII-III線による断面図である。
【図４】図４は、第１実施形態による止水板を示す斜視図である。
【図５】図５は、図４のV-V線による断面図である。
【図６】図６は、第２実施形態による止水板を示す斜視図である。
【図７】図７は、図６のVII-VII線による断面図である。
【図８】図８は、図６のVII-VII線による断面図である。
【図９】図９は、第３実施形態による止水板を斜め下方から見た斜視図である。
【発明を実施するための形態】
【００１８】
以下に、本発明の実施形態による止水板付きシャッター装置１につき図面を参照しつつ詳細に説明する。なお、この実施形態によりこの発明が限定されるものではない。また、下記の実施形態における構成要素には、当業者が容易に想定できるものあるいは実質的に同一のものが含まれる。なお、図面において、ＯＵＴは構造物１０の屋外側、ＩＮは構造物１０の屋内側、ＲＨは屋外側から止水板付きシャッター装置１を見た場合の右側、ＬＨは屋外側から止水板付きシャッター装置１を見た場合の左側、ＵＰは上側、ＬＷは下側を示す。
【００１９】
［第１実施形態］
本実施形態は、止水板付きシャッター装置１に関する。図１から図５を参照して、本実施形態による止水板付きシャッター装置１について説明する。図１は、第１実施形態による止水板付きシャッター装置１を示す正面図である。図２は、図１の止水板付きシャッター装置１を示す斜視図であり、シャッターが開位置にある状態を示している。図３は、図２のIII-III線による断面図である。図４は、第１実施形態による止水板を示す斜視図である。図５は、図４のV-V線による断面図である。
【００２０】
図１に示すように、構造物１０は、床面１３の上に設置された壁１１を有し、壁には開口１２が設けられている。本実施形態における構造物１０は、例えば住宅であるが、住宅以外にも、例えば、ビル、倉庫、および工場等が構造物１０に含まれる。本実施形態における壁１１は、構造物１０の内外を仕切る外壁であるが、外壁以外にも、例えば、構造物１０の内部において内部空間を仕切る内壁等も壁に含まれる。開口１２は、構造物１０の壁１１に設けられ、構造物１０の屋内側と屋外側とを連通する。
【００２１】
開口１２の周縁部には、左右一対のガイドレール２０が設けられている。具体的には、それぞれのガイドレール２０は上下方向に沿って延びている。また、右側のガイドレール２０Ａと、左側のガイドレール２０Ｂとは、止水板付きシャッター１００の幅の長さ分だけ離れて位置している。図３に示すように、ガイドレール２０は、断面Ｕ字状（断面コ字状）に構成されている。即ち、ガイドレール２０は、屋内側に位置し左右方向に延びる内側壁部２１と、屋外側に位置し左右方向に延びる外側壁部２２と、内側壁部２１の端縁２１ａと外側壁部２２の端縁２２ａとを前後方向（屋内側から屋外側に向けた方向である内外方向）に結ぶ連結壁部２３と、を有して一体に設けられている。外側壁部２２と内側壁部２１とは、前後方向に間隔をおいて面している。これらの内側壁部２１、外側壁部２２および連結壁部２３によって、ガイドレール２０には、断面Ｕ字状（断面コ字状）の凹部２４が設けられる。凹部２４の開口方向は、右側のガイドレール２０Ａと左側のガイドレール２０Ｂとの左右方向の中央部分ＣＬ（図１参照）に向いている。つまり、図３に示すように、右側のガイドレール２０Ａにおいては、凹部２４の開口方向は左側に向いており、左側のガイドレール２０Ｂにおいては、図示しないが、凹部の開口方向は右側に向いている。なお、屋外側とは、構造物１０の外側であり、冠水時に水が浸入する場合の上流側、すなわち先に水が到達する側である。屋内側とは、構造物１０の内側であり、屋外側の反対側である。
【００２２】
図１に示すように、本実施形態による止水板付きシャッター１００は、上端部に位置するシャッターケース３０に設けられた巻取機構４０と、巻取機構４０から下方に延びるシャッターカーテン５０と、シャッターカーテン５０の下端部に結合された止水板６０と、を備えている。なお、本実施形態による止水板付きシャッター装置１は、止水板付きシャッター１００と、ガイドレール２０と、を有する。
【００２３】
巻取機構４０は、シャフト４１と、回転ドラム４２と、を有する。シャフト４１は、左右方向に沿って延びており、左右両端部が支持体４３に回転可能に支持されている。シャフト４１は、図示しないモータによって駆動回転する。回転ドラム４２は、シャフト４１に設けられ当該シャフト４１と一体に回転する。図１は、シャッターが閉位置にある状態を示しているが、回転ドラム４２が回転して回転ドラム４２の外周面にシャッターカーテン５０が巻き取られると、図２に示すように、止水板６０が上昇してシャッターが開位置となる。
【００２４】
図２に示すように、シャッターカーテン５０は、複数のスラット５１が互いに連結して上下方向に沿って延びている。スラット５１のそれぞれは、左右方向に延びる横長の板材であり、例えば、スチール板，ステンレス板，又はアルミニウム板等から構成される。また、各スラット５１における上端部と下端部には、湾曲形状のカール部５１ａ，５１ｂが設けられている。上下方向に互いに隣接するスラット５１は、それぞれカール部５１ａ，５１ｂ同士が係合することにより連結される。これによって、上下方向に沿って延びるシャッターカーテン５０が構成される。最も下側に位置するスラット５１に止水板６０が結合している。
【００２５】
図３から図５に示すように、止水板６０は、内部に中空部６１が設けられた直方体の箱状部材である。具体的には、止水板６０は、屋外側に位置して左右方向に延びる外壁６２（第１壁）と、外壁６２における左右方向の端縁６２ａから止水板６０の厚さ方向（前後方向）に沿って屋内側に向けて延びる側壁６３（第２壁）と、屋内側に位置し側壁６３の端縁６３ａから左右方向に延びる内壁６４と、これらの外壁６２、側壁６３、内壁６４の下側に位置する下壁６５（第３壁）と、外壁６２、側壁６３、内壁６４の上側に位置する上壁６６と、を有する。外壁６２と内壁６４とは、前後方向に間隔をおいて互いに面している。上壁６６と下壁６５とは、上下方向に間隔をおいて互いに面している。左右一対の側壁６３は、左右方向に間隔をおいて互いに面している。なお、外壁６２は第１壁の一例である。側壁６３は第２壁の一例である。下壁６５は第３壁の一例である。
【００２６】
ここで、図３に示すように、止水板６０の内部には、中空部６１が設けられている。図２から図５に示すように、排水孔７０（第１貫通孔）が、外壁６２（第１壁）の左右両端部と、左右それぞれの側壁６３（第２壁）と、下壁６５（第３壁）の左右両端部と、に設けられている。排水孔７０（第１貫通孔）は、中空部６１と連通し中空部６１に溜まった水を止水板６０の外部へ排出可能に構成されている。図４，５に示すように、外壁６２および側壁６３には、上下方向に沿って複数（本実施形態では５つ）の排水孔７０が同一ピッチで設けられている。下壁６５には、右端部および左端部に排水孔７０がそれぞれ１つずつ設けられている。
【００２７】
さらに、図４，５に示すように、中空部６１と連通し中空部６１に空気が導入可能な空気孔８０（第２貫通孔）が、上壁６６の右端部に設けられている。空気孔８０は、円形であるが、円形以外の形状でもよい。なお、本実施形態では、空気孔８０は上壁６６に１つ設けたが、２つ以上設けてもよい。また、空気孔８０は、上壁６６の左右両端部以外の部位や上壁６６以外の壁に設けてもよい。
【００２８】
図５に示すように、外壁６２に設けた５つの排水孔７０と、側壁６３に設けた５つの排水孔７０とは、上下方向の位置が一致または略一致している。また、下壁６５に設けた１つの排水孔７０、上壁６６に設けた１つの空気孔８０、および側壁６３に設けた５つの排水孔７０は、前後方向（止水板６０の厚さ方向）の位置が一致または略一致している。本実施形態では、排水孔７０は、全て同じ径の円形としたが、径が異なってもよく、円形以外の形状でもよい。また、上下に隣接する排水孔７０同士の距離は、全ての排水孔７０について同一でなくてよい。つまり、排水孔７０同士の距離は特に限定されず、全て異なってもよい。
【００２９】
図３に示すように、止水板６０の右端部は、ガイドレール２０の凹部２４内に挿入されている。外壁６２に設けられた排水孔７０はガイドレール２０の外側壁部２２に面し、側壁６３に設けられた排水孔７０はガイドレール２０の連結壁部２３に面している。従って、止水板６０の右端部に設けられた排水孔７０および空気孔８０は、ガイドレール２０の凹部２４内に位置している。また、止水板６０の内壁６４における右端部には、止水ゴム７１が固着されているため、冠水時に止水板６０が水によって屋内側に押される場合には、止水板６０とガイドレール２０とが止水ゴム７１によって水密にシールされ、止水板６０の内壁６４とガイドレール２０の内側壁部２１との間から屋内側に水が浸入することが制限される。なお、図示しないが、止水板６０の左端部も、左側に設けられたガイドレール２０Ｂの凹部に挿入されている。止水板６０の内壁６４における左端部にも止水ゴムが固着されている。これによって、止水板６０の左右両端部が挿入された状態で止水板６０を上下移動に沿って案内可能な凹部２４を有するガイドレール２０が構成される。
【００３０】
次に、シャッターの開閉動作について説明する。
まず、図１で説明したように、図示しないモータを作動させることによってシャフト４１と共に回転ドラム４２が回転する。すると、複数のスラット５１を有するシャッターカーテン５０が回転ドラム４２に巻き取られる。止水板６０は、シャッターカーテン５０の下端部に結合されているため、シャッターカーテン５０と共に止水板６０が上昇してシャッターが開く。このとき、図３に示すように、止水板６０の左右両端部がガイドレール２０の凹部２４に挿入されているため、止水板６０が上下移動する際にガイドレール２０によって止水板６０が案内される。
【００３１】
なお、シャッターを閉じる場合は、図示しないモータを逆方向に回転させる作動によってシャフト４１と共に回転ドラム４２が逆方向に回転する。すると、複数のスラット５１を有するシャッターカーテン５０が回転ドラム４２から繰り出される。よって、シャッターカーテン５０と共に止水板６０が下降してシャッターが閉じる。
【００３２】
さらに、止水板６０の内部に溜まった水の排水作用を説明する。
前述したように、止水板６０の左右両端部には、空気孔８０および複数の排水孔７０が設けられている（図２〜図５参照）。従って、排水孔７０から水（例えば、雨水等）が止水板６０の外部へ排出される。また、空気孔８０から止水板６０の内部に空気が導入されるため、排水効率が向上する。ここで、図３に示すように、止水板６０の左右両端部はガイドレール２０の凹部２４内に挿入されているため、止水板６０の左右両端部に設けられた排水孔７０および空気孔８０は、ガイドレール２０の凹部２４内に位置している。換言すれば、止水板６０に設けられた排水孔７０および空気孔８０は、ガイドレール２０によって屋外側と屋内側および左側と右側が覆われている。つまり、ガイドレール２０の凹部２４で止水板６０の左右両端部の排水孔７０および空気孔８０を取り囲んでいる。従って、止水板６０の内部の水は、排水孔７０から排出されたのち、ガイドレール２０の凹部２４の内方を伝って下方に向けて流れるため、止水板付きシャッター１００の下を通る通行人等に水がかかりにくくなる。
【００３３】
以上、説明したように、本実施形態による止水板付きシャッター装置１は、シャッターカーテン５０と、シャッターカーテン５０に結合されると共に、内部に中空部６１が設けられ左右両端部に中空部６１に連通して中空部６１に溜まった水を排出可能な排水孔７０（第１貫通孔）が設けられた止水板６０と、止水板６０の左右両端部が挿入され止水板６０を上下移動に沿って案内可能な凹部２４を有するガイドレール２０と、を備えている。
【００３４】
このように、止水板６０の左右両端部には排水孔７０（第１貫通孔）が設けられ、当該左右両端部がガイドレール２０の凹部２４に挿入されている。このため、ガイドレール２０の凹部２４で止水板６０の左右両端部の排水孔７０を取り囲んでいる。従って、止水板６０の内部の水は、排水孔７０から排出されたのち、ガイドレール２０の凹部２４の内部を伝って下方に向けて流れる。このため、止水板付きシャッター１００の下を通る通行人等に水がかかりにくくなる。
【００３５】
また、止水板６０は、屋外側に位置する外壁６２（第１壁）と、外壁６２における左右方向の端縁６２ａから止水板６０の厚さ方向に沿って屋内側に向けて延びる側壁６３（第２壁）と、これらの外壁６２および側壁６３の下側に位置する下壁６５（第３壁）と、を有する。排水孔７０（第１貫通孔）は、外壁６２の左右両端部と、側壁６３と、下壁６５の左右両端部とに設けられている。
【００３６】
このように、排水孔７０（第１貫通孔）は、止水板６０における屋内側の部位には設けられていないため、屋内側にいる通行人等に対して、より水がかかりにくくなる。
【００３７】
さらに、止水板６０には、中空部６１と連通し中空部６１に空気が導入可能な空気孔８０（第２貫通孔）が設けられているため、排水孔７０からの排水を、より速く行うことができる。また、止水板６０の内部の水が速く排出されて止水板付きシャッター１００の全体の重量が速く減少するため、止水板付きシャッター１００を上昇させるためのモータの負荷が減少するという効果も有する。
【００３８】
なお、空気孔８０（第２貫通孔）は、止水板６０の上壁６６に設けられている。よって、空気孔８０が止水板６０の他の部位（例えば、側壁６３）に設けられている場合よりも、より上側に設けることができるため、中空部６１に効率的に空気を導入することができる。
【００３９】
［第２実施形態］
次いで、第２実施形態による止水板付きシャッターの止水板１６０を説明する。ただし、前述した第１実施形態と同一構成の部位には同一符号を付けて説明を省略する。
【００４０】
図６〜図８に示すように、本実施形態による止水板１６０は、内部の中空部が仕切壁８２（第４壁）で仕切られることによって、上下方向に沿って並ぶ複数（本実施形態では５つ）の分割体２１０，２２０，２３０，２４０，２５０を有する。それぞれの分割体２１０，２２０，２３０，２４０，２５０は、下壁１６５または仕切壁８２（第４壁）と、屋外側に位置して左右方向に延びる外壁１６２（第５壁）と、外壁１６２における左右方向の端縁１６２ａから止水板１６０の厚さ方向に沿って屋内側に向けて延びる側壁１６３（第６壁）と、屋内側に位置し側壁１６３の端縁１６３ａから左右方向に延びる内壁１６４と、これらの外壁１６２、側壁１６３、内壁１６４の上側に位置する上壁１６６または仕切壁８２（第４壁）と、を有する。外壁１６２と内壁１６４とは、前後方向に間隔をおいて互いに面している。なお、仕切壁８２は第４壁の一例である。外壁１６２は第５壁の一例である。側壁１６３は第６壁の一例である。
【００４１】
このように、それぞれの分割体２１０，２２０，２３０，２４０，２５０は、左右一対の側壁１６３、内壁１６４、外壁１６２、上壁１６６（または仕切壁８２）および下壁１６５（または仕切壁８２）に囲まれて構成される。また、上下に隣接する分割体においては、下側の分割体に設けられた天井側の仕切壁８２は、上側の分割体に設けられた底側の仕切壁８２と共通する。以下に、具体的に説明する。
【００４２】
まず、止水板１６０を構成する分割体を上から順に、第１分割体２１０、第２分割体２２０、第３分割体２３０、第４分割体２４０および第５分割体２５０と称する。
【００４３】
第１分割体２１０の天井側に設けられた上壁１６６の右端部には、円形の空気孔８０が１つ設けられている。また、第１分割体２１０の左右の側壁１６３には、それぞれ円形の排水孔７０が１つずつ設けられている。第１分割体２１０の底側に設けられた仕切壁８２の左右両端部には、それぞれ円形の排水孔７０が１つずつ設けられている。
【００４４】
第２分割体２２０の天井側に設けられた仕切壁８２は、第１分割体２１０の底側に設けられた仕切壁８２と共通する。第２分割体２２０の左右の側壁には、それぞれ円形の排水孔７０が１つずつ設けられている。第２分割体２２０の底側に設けられた仕切壁８２の左右両端部には、それぞれ円形の排水孔７０が１つずつ設けられている。
【００４５】
第３分割体２３０の天井側に設けられた仕切壁８２は、第２分割体２２０の底側に設けられた仕切壁８２と共通する。第３分割体２３０の左右の側壁１６３には、それぞれ円形の排水孔７０が１つずつ設けられている。第３分割体２３０の底側に設けられた仕切壁８２の左右両端部には、それぞれ円形の排水孔７０が１つずつ設けられている。
【００４６】
第４分割体２４０の天井側に設けられた仕切壁８２は、第３分割体２３０の底側に設けられた仕切壁８２と共通する。第４分割体２４０の左右の側壁１６３には、それぞれ円形の排水孔７０が１つずつ設けられている。第４分割体２４０の底側に設けられた仕切壁８２の左右両端部には、それぞれ円形の排水孔７０が１つずつ設けられている。
【００４７】
第５分割体２５０の天井側に設けられた仕切壁８２は、第４分割体２４０の底側に設けられた仕切壁８２と共通する。第５分割体２５０の左右の側壁１６３には、それぞれ円形の排水孔７０が１つずつ設けられている。第５分割体２５０の底側に設けられた下壁１６５の左右両端部には、それぞれ円形の排水孔７０が１つずつ設けられている。なお、第１分割体２１０〜第５分割体２５０のそれぞれにおいて、側壁１６３に設けた排水孔７０は、側壁１６３における上下方向の下端部に位置している。さらに、第１分割体２１０と第５分割体２５０とは、上下方向の高さが同一であり、第２分割体２２０〜第４分割体２４０は、上下方向の高さが同一である。第１分割体２１０および第５分割体２５０の上下方向の高さは、第２分割体２２０〜第４分割体２４０の上下方向の高さよりも小さく設定されている。
【００４８】
以上、説明したように、本実施形態による止水板付きシャッター装置の止水板１６０は、中空部１６１が仕切壁８２（第４壁）で仕切られることによって上下方向に沿って並ぶ複数の分割体２１０，２２０，２３０，２４０，２５０を有する。分割体２１０，２２０，２３０，２４０，２５０は、仕切壁８２と、屋外側に位置する外壁１６２（第５壁）と、外壁１６２における左右方向の端縁１６２ａから止水板１６０の厚さ方向に沿って屋内側に向けて延びる側壁１６３（第６壁）と、を有する。排水孔７０（第１貫通孔）は、分割体２１０，２２０，２３０，２４０，２５０のそれぞれにおいて、仕切壁８２の左右両端部と、外壁１６２の左右両端部と、側壁１６３とに設けられている。
【００４９】
このように、止水板１６０は、複数の分割体２１０，２２０，２３０，２４０，２５０に区分けされ、分割体２１０，２２０，２３０，２４０，２５０のそれぞれに排水孔７０が設けられている。従って、複数の分割体に区分けされない場合に比べて、排水孔７０からの水の排出効率が向上する。
【００５０】
［第３実施形態］
次いで、第３実施形態による止水板付きシャッターの止水板２６０を説明する。ただし、前述した第１実施形態と同一構成の部位には同一符号を付けて説明を省略する。
【００５１】
図９は、第３実施形態による止水板２６０を斜め下方から見た斜視図である。本実施形態においては、図９に示すように、止水板２６０は、屋内側に位置し左右方向に延びる内壁６４と、内壁６４における左右方向の端縁６４ａから止水板６０の厚さ方向（前後方向）に沿って屋外側に向けて延びる側壁６３と、屋外側に位置し側壁６３の端縁６３ａから左右方向に延びる外壁６２と、これらの外壁６２、側壁６３、内壁６４の下側に位置する下壁６５と、を有する。本実施形態においては、内壁６４における左右方向の端部と、下壁６５における屋内側の端部とに、帯状の止水ゴム２７１を設置している。具体的には、内壁６４における左右方向の端部には、上下方向に沿って帯状の止水ゴム２７１が設置されている。下壁６５における屋内側の端部には、左右方向に沿って帯状の止水ゴム２７１が設置されている。ここで、止水ゴム２７１の表面には、便宜的にハッチングで示した部位に吸水テープ２７２を貼着している。この吸水テープ２７２には、吸水効率、吸水速度および保水性等において優れた特徴を有する高吸水性高分子がコーティングされている。従って、吸水テープ２７２が浸水すると大きく膨潤して水の浸入を制限する。なお、吸水テープ２７２として、例えば、スリーエムカンパニー製の３Ｍ（登録商標）ジョイント止水テープ２２３７などを適用することができる。
【００５２】
以上、説明したように、本実施形態においては、内壁６４における左右方向の端部と、下壁６５における屋内側の端部とに、吸水テープ２７２を貼着した帯状の止水ゴム２７１を貼着している。ここで、例えば、側壁６３と下壁６５とが交差する角部においては、ガイドレール２０や床面１３（図１参照）とに間に隙間が生じやすい。また、床面１３の上に多くの凹凸が設けられている場合は、床面１３と止水ゴム２７１との間に隙間が生じやすい。しかし、吸水テープ２７２が止水ゴム２７１に貼着されているため、屋外側から浸水すると、吸水テープ２７２が浸水し大きく膨潤し、前述した隙間を封鎖して水の浸入を制限することができる。
【００５３】
以上、本発明の実施形態を例示したが、前記実施形態は一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態や各変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。
【００５４】
例えば、前記第１実施形態では、排水孔７０（第１貫通孔）は、外壁６２の左右両端部と、側壁６３と、下壁６５の左右両端部とに設けられているが、外壁６２、側壁６３および下壁６５の少なくともいずれかであればよい。例えば、側壁６３のみ、または、外壁６２のみに排水孔７０を設けてもよい。また、空気孔８０（第２貫通孔）は、上壁６６の左右両端部に設けてもよい。
【００５５】
また、前記第２実施形態において、排水孔７０（第１貫通孔）は、仕切壁８２の左右両端部と、外壁１６２の左右両端部と、側壁１６３とに設けられている。しかし、屋外側に位置する外壁１６２（第５壁）にも排水孔７０を設けてもよい。また、排水孔７０（第１貫通孔）は、仕切壁８２の左右方向の中央部に設けてもよい。さらに、前記実施形態では、上下に並ぶ排水孔７０（第１貫通孔）の径を同一にしたが、例えば、下方にいくに従って徐々に径が大きくなる排水孔７０にしてもよい。上側よりも下側の方が、溜まった水による水圧が大きくなるため、下側の排水孔７０の径を大きくして排水孔７０からの排水効率を高めることができる。
【符号の説明】
【００５６】
５０…シャッターカーテン、６０，１６０，２６０…止水板、６１…中空部、６２…外壁（第１壁）、６３…側壁（第２壁）、６５…下壁（第３壁）、６６…上壁、７０…排水孔（第１貫通孔）、８０…空気孔（第２貫通孔）、８２…仕切壁（第４壁）、１６２…外壁（第５壁）、１６３…側壁（第６壁）、２１０…第１分割体（分割体）、２２０…第２分割体（分割体）、２３０…第３分割体（分割体）、２４０…第４分割体（分割体）、２５０…第５分割体（分割体）。
【図１】
2019214843.tif 000003
【図２】
2019214843.tif 000004
【図３】
2019214843.tif 000005
【図４】
2019214843.tif 000006
【図５】
2019214843.tif 000007
【図６】
2019214843.tif 000008
【図７】
2019214843.tif 000009
【図８】
2019214843.tif 000010
【図９】
2019214843.tif 000011